【事件の表示】
　特願２０１４−１４１６９９「太陽光発電システム」拒絶査定不服審判事件について、次のとおり審決する。
【結　論】
　本件審判の請求は、成り立たない。
【理　由】
第１　手続の経緯
　本願は、平成２６年７月９日の出願であって、平成２６年８月１２日付けで拒絶理由が通知され、同年１０月１５日付けで手続補正がなされるとともに意見書が提出されたが、同年１１月７日付けで拒絶査定がなされ、これに対して、平成２７年２月４日に拒絶査定不服審判請求がなされるとともに、同時に手続補正がなされたものである。
　
第２　平成２７年２月４日になされた手続補正（以下「本件補正」という。）についての補正却下の決定
［補正却下の決定の結論］
　本件補正を却下する。
　
［理由］
１　補正の内容
　本件補正は、本件補正前（平成２６年１０月１５日付け手続補正書によるもの）の特許請求の範囲の請求項１につき、
「複数の太陽電池モジュール、及び前記太陽電池モジュール同士を直列接続するストリング内接続部を有し、発生した電力を負荷に供給する太陽電池ストリングと、
　前記負荷の一方の端子及び前記太陽電池ストリングの一方の端子を互いに接続する第１接続部と、
　前記負荷の他方の端子及び前記太陽電池ストリングの他方の端子を互いに接続する第２接続部と、
を備える太陽光発電システムであって、
　前記太陽光発電システム内におけるアークの発生を検知するアーク検知部と、
　前記アーク検知部が前記アークの発生を検知した際、前記太陽電池ストリング内における前記ストリング内接続部を電気的に切断することにより、前記太陽電池ストリングと前記第１接続部と前記第２接続部と前記負荷とによって構成される回路を切断する切断部と、
を備える太陽光発電システム。」
とあったものを、
「複数の太陽電池モジュール、及び前記太陽電池モジュール同士を直列接続するストリング内接続部を有し、発生した電力を負荷に供給する太陽電池ストリングと、
　前記負荷の一方の端子及び前記太陽電池ストリングの一方の端子を互いに接続する第１接続部と、
　前記負荷の他方の端子及び前記太陽電池ストリングの他方の端子を互いに接続する第２接続部と、
を備える太陽光発電システムであって、
　前記太陽光発電システム内におけるアークの発生を検知するアーク検知部と、
　前記アーク検知部が前記アークの発生を検知した際、前記太陽電池ストリング内における前記ストリング内接続部を電気的に切断することにより、前記太陽電池ストリングと前記第１接続部と前記第２接続部と前記負荷とによって構成される回路を
、前記第１接続部及び前記第２接続部を含むアーク発生対象接続部に発生する直列アーク及び並列アークを消弧するために
、１つ以上であって前記複数の太陽電池モジュール毎に設けられていない、前記複数の太陽電池モジュールから前記負荷への電力の供給を止める
を備える太陽光発電システム。」
に補正する内容を含むものである（下線は請求人が付したとおりである。）。
　
２　補正の目的
　本件補正は、補正前の請求項１において、「切断部」に係り、「・・・回路を切断する」とあったものを、「・・・回路を、前記第１接続部及び前記第２接続部を含むアーク発生対象接続部に発生する直列アーク及び並列アークを消弧するために切断する、１つ以上であって前記複数の太陽電池モジュール毎に設けられていない、前記複数の太陽電池モジュールから前記負荷への電力の供給を止める」と補正して、「切断」に関して「前記第１接続部及び前記第２接続部を含むアーク発生対象接続部に発生する直列アーク及び並列アークを消弧するために」及び「１つ以上であって前記複数の太陽電池モジュール毎に設けられていない、前記複数の太陽電池モジュールから前記負荷への電力の供給を止める」との限定を付加するものであるから、上記１の本件補正は、特許法第１７条の２第５項第２号に掲げる特許請求の範囲の減縮を目的とするものに該当する。
　
３　独立特許要件について
　そこで、本件補正後の請求項１に係る発明（以下「本願補正発明」という。）が、特許出願の際独立して特許を受けることができるものであるかどうか（特許法第１７条の２第６項において準用する同法第１２６条第７項に規定する要件を満たすか否か）について検討する。
（１）本願補正発明の認定
　本願補正発明は、上記１において、本件補正後のものとして記載したとおりのものと認める。
　
（２）刊行物の記載及び引用発明
ア　原査定における拒絶理由に引用された、本願の出願前に電気通信回線を通じて公衆に利用可能となった文献である国際公開第２０１０／０７８３０３号（以下「引用文献１」という。）には、以下の記載がある（訳文を付した。下線は当審にて付した。以下同じ。）。
（ア）「FIELD OF THE INVENTION
[002] The invention relates to an electrical safety shutoff system and associated devices that can disable the electrical output of individual photovoltaic modules, also known as solar panels, in a photovoltaic array.」
（発明の分野
［００２］本願発明は、太陽光発電のアレイにおいて、ソーラーパネルとしても知られている
太陽光発電のモジュールの個々の電気出力を停止させる
　
（イ）「[0011]A significant potential hazard in a PV array is electrical arcing, particularly because PV systems use DC rather than AC electricity. In general, arc faults in an electrical system can be of several types. Series arcs occur when normal current flow is interrupted at failed or improper interconnections, while parallel arcs occur when a portion of the circuit is short-circuited due to failed electrical isolation. Ground faults are a special case of parallel arcs. 」
「[0012] Analogous to other electrical systems, arc detection circuitry can be implemented for PV arrays, as indicated by the optional fault detection and interrupt 130 in Figure 1.
・・・途中省略・・・
The system may also separately detect parallel arcs and subsequently trigger an array short-circuit switch to bring the voltage to zero and extinguish the arc.」
「[0016] The invention provides a method, system, and associated devices that can be used to disable the electrical output of an array of PV modules 100. 」
（［００１１］特に、太陽光発電システムが交流よりむしろ直流を使うことから、太陽光発電アレイの重大な潜在的な危険は、電気的のアークの発生である。一般に、電気システムの中のアーク故障はいくつかのタイプがあり得る。通常の電流の流れが故障あるいは誤った相互接続のために遮られるときに直列アークが起こり、他方、電気的絶縁の故障のため回路の一部が短絡したときに並列アークが起こる。接地故障は並列アークの特別なケースである。
［００１２］他の電気システムに類似しているが、図１に
故障検知及び遮断システム１３０
として示され
アーク検知電気回路
システムは個々の並列アークを検出することもでき、そして配列された短絡スイッチは、短絡によってが電圧をゼロにして、アークを消弧する。
［００１６］本発明は、
太陽光発電モジュール１００のアレイ
　
（ウ）「[0021] FIGURE 2 depicts an overview of a shutoff system according to the disclosed subject matter. Labels on some repeated elements are omitted for clarity, and dashed lines indicate optional elements or combinations of elements. The system consists of individual shutoff circuits 300, each of which can disable the electrical output of a single module 100; and one or more enable signal generators 400, each of which transmits signals to the shutoff circuits 300 to enable electrical power output from their associated modules 100. The shutoff circuits 300 are designed such that, in the absence of an enable signal 310, the shutoff circuits 300 revert to a safe state in which the module 100 power is disabled. Preferably, the shutoff circuits 300 are integrated into the assemblies or the junction boxes of their associated modules 100. The enable signal 310 is transmitted via the DC power lines 105 of the PV array, such that no additional wiring to the modules is required beyond the normal interconnections. For simplicity Figure 2 depicts only one string 110, but it should be understood that the system could contain a plurality of strings 110.」
「[0027] In yet another embodiment, the shutoff circuit 300 includes both a controller 360 (not shown) and sensing elements (370 (not shown), 371 (not shown)) with which the controller 360 (not shown) can detect arc faults or ground faults in its associated module 100, and the controller 360 can cause the switch element 330 to disable module 100 power output in order to protect against detected faults.」
「[ 0031 ] The enable signal generator 400 may contain a disconnect switch 444 (not shown) to remove the enable signal 310 from the PV array, thus shutting off the array. It may also shut off the array in response to control signals from other equipment, such as inverters 140, fault detection systems 130, or other devices.」
「[ 0051 ] The enable signal generator 400 may be controlled from a control panel 410, and the control panel 410 may include a manual shutoff switch 444 (not shown) that stops the enable signal 310 and therefore disables the modules 100. The enable signal generator 400 may also respond to control signals from other equipment, such as signals from an inverter 140, fault detection equipment 130, or other equipment. 」
「[0053] Figure 2 depicts a particular embodiment (denoted circuit interrupter) in which a normally open switch element 330 is in series with the PV generating capacity 102 and the switch element 330 is closed only when the enable signal 310 is detected. 」
「[0056] FIGURE 4 further depicts the operation of the shutoff system, in a circuit interrupter embodiment. The figure compares the voltages along an exemplary string 110' when the shutoff circuits 300 are enabled (left side - Figure 4A) versus disabled (right side - Figure 4B). The exemplary string 110' consists of 12 modules 100', wherein the modules 100' have a max power point voltage of 25 V and an open circuit voltage of 35 V, and where the negative terminal of the string 110' is at ground potential (0 V). When the enable signal 310 is present (left side - Figure 4A) signal detectors 320 cause the normally open switch elements to close (330') and the modules 100' are enabled. Voltages add from the negative to the positive end of the string 110' and voltages up to 300 V are present. In contrast, when the enable signal is not present (right side - Figure 4B), the switch elements are in their open state (330) and modules 110' are disabled. Current is arrested and cannot flow along the string 110', the wiring between the modules 100' is essentially disconnected, and the maximum voltage difference between any two points is limited to the open circuit voltage of 35 V. Furthermore, voltage hazards are confined to within the module 100' construction. Therefore, when the modules 100' are disabled the hazard potential is greatly reduced. In addition, both series and parallel arcs will be interrupted in most circumstances.」
（［００２１］図２は、開示された主題に従った
遮断システム
前記システムは、それぞれが一つのモジュール１００の電気出力を停止させることができる個別の「遮断回路」３００と、前記遮断回路３００に、それぞれが関連したモジュール１００からの電気出力を可能にするような信号を送る１つ以上の「イネーブル信号発生装置」４００とからな
前記遮断回路３００は、イネーブル信号３１０が停止すると、前記遮断回路３００が、前記モジュール１００の電力を停止させ安全な状態に戻すよう設計され
［００２７］さらにもう１つの具体例では、遮断回路３００は、コントローラー３６０（図示せず）と検知素子（３７０（図示せず）、３７１（図示せず））の両方を含み。そのうち、
コントローラー３６０
は、モジュール１００とともにアーク故障または接地故障を検知することができるとともに、
検知された故障から保護するためにスイッチ素子３３０にモジュール１００の電力出力を停止させることができ
［００３１］
前記イネーブル信号発生装置４００は、前記太陽光発電アレイから前記イネーブル信号３１０を除去して、前記アレイを停止させる遮断スイッチ４４４
前記アレイの、インバーター１４０、故障検知システム１３０あるいは他の装置といった他の装置からの制御信号に応答して、アレイを遮断
［００５１］前記イネーブル信号発生装置４００はコントロールパネル４１０から制御され得るものであり、前記コントロールパネル４１０は、イネーブル信号３１０を停止することにより前記モジュール１００を停止する手動遮断スイッチ４４４（図示せず）を含み得るものである。
前記イネーブル信号発生装置４００は、また、インバーター１４０、故障検知システム１３０あるいは他の装置といった、他の装置からの制御信号に応答し得るものである
［００５３］図２は、通常は太陽光発電の発電能力１０２に直列に接続されたスイッチ素子３３０が開放されるとともに、イネーブル信号３１０が検知されている間のみ前記スイッチ素子３３０が閉じられる、（「回路遮断装置」を示す）典型的具体例を描写したものである。
［００５６］図４は、回路遮断の具体化に伴う前記遮断システムの動作のさらなる描写である。前記図は、例示されたストリング１１０´に沿った電圧について、遮断回路３００がイネーブルとなった時（左側−図４Ａ）と、非イネーブルとなった時（右側−図４Ｂ）とを比較する。前記例示のストリング１１０´は、最大電力電圧値が２５Ｖで、無負荷電圧が３５Ｖの１２個のモジュール１００´からなり、ストリング１１０´の負極側は接地電圧の０Ｖである。イネーブル信号３１０が存在する場合は（左側−図４Ａ）、信号検出器３２０が常開スイッチ素子を閉じて（３３０´）モジュール１００´はイネーブルとなる。ストリング１１０´の負極側から正極側までの電圧は加算されて、３００Ｖまでの電圧が存在する。これに対して、イネーブル信号３１０が存在しない場合は（右側−図４Ｂ）、スイッチ素子は開放状態となり（３３０´´）、モジュール１１０´（審決注：１００´の誤記）は非イネーブルとなる。電流は止められてストリング１１０´に沿って流れることができなくなり、モジュール１００´間の配線は本質的に切断され、異なった２点間の最大電圧は前記無負荷電圧の３５Ｖに制限される。さらに、電圧の危険はモジュール１００´内に限定される。そのために、モジュール１００´が非イネーブルとなると危険性は大きく減少する。加えて、直列と並列のアークは大概の状況で遮断される。）
　
（エ）図１、図２及び図４（Fig.1,Fig.2,Fig.4）は次のものである。
　
（オ）上記（ア）ないし（ウ）を踏まえて、上記（エ）の図２（Fig.2）を見ると、太陽光発電のモジュールの電気の出力を停止させる遮断システムは、複数の太陽光発電（ＰＶ）のモジュール１００、前記モジュール１００同士を直列接続する直流電力線、太陽光発電（ＰＶ）のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線１０５、故障検知及び遮断システム１３０及び太陽光発電の発電能力１０２に直列に接続されたスイッチ素子３３０を含む遮断回路３００からなるものであること、及び、前記遮断回路３００の１つは、一方の前記太陽光発電の発電能力１０２同士を直列接続する直流電力線と他方の前記太陽光発電の発電能力１０２同士を直列接続する直流電力線の間に設けられていることがみてとれる。
　
（カ）ここで、上記ア（イ）に「一般に、電気システムの中のアーク故障はいくつかのタイプがあり得る。通常の電流の流れが故障あるいは誤った相互接続のために遮られるときに直列アークが起こり、他方、電気的絶縁の故障のため回路の一部が短絡したときに並列アークが起こる。」と記載されているとおり、アーク故障として、直列アークと並列アークが周知であったとされている。
　さらに、上記ア（ウ）の［００２７］には「
コントローラー３６０
は、モジュール１００とともにアーク故障または接地故障を検知することができるとともに、
検知された故障から保護するためにスイッチ素子３３０にモジュール１００の電力出力を停止させることができ
　したがって、アーク故障または接地故障を検知することができるコントローラー３６０は、アーク故障として、直列アークと並列アークを検知し消弧するものであるといえる。
　また、ストリング１１０´上の２点間の電圧を最大３００Ｖから最大３５Ｖに下げることで直列と並列のアークを遮断することができるとされる。
　
（キ）引用発明
　上記（ア）ないし（カ）によれば、引用文献１には、次の発明（以下「引用発明」という。）が記載されていると認められる。
「複数の太陽光発電の発電能力１０２、前記太陽光発電の発電能力１０２同士を直列接続する直流電力線、太陽光発電のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線１０５、故障検知及び遮断システム１３０及び太陽光発電の発電能力１０２に直列に接続されたスイッチ素子３３０を含む遮断回路３００からなり、
　前記遮断回路３００の１つは、一方の前記太陽光発電の発電能力１０２同士を直列接続する直流電力線と他方の前記太陽光発電の発電能力１０２同士を直列接続する直流電力線の間に設けられ、
　前記システムは、それぞれが一つのモジュール１００の電気出力を停止させることができる個別の遮断回路３００と、前記遮断回路３００に、それぞれが関連したモジュール１００からの電気出力を可能にするような信号を送る１つ以上のイネーブル信号発生装置４００とからなり、
　アーク検知電気回路は前記故障検知及び遮断システム１３０として示され、
　前記遮断回路３００は、イネーブル信号３１０が停止すると、前記遮断回路３００が、前記モジュール１００の電力を停止させ安全な状態に戻すよう設計され、
　コントローラー３６０は、モジュール１００とともにアーク故障または接地故障を検知することができるとともに、検知された故障から保護するためにスイッチ素子３３０にモジュール１００の電力出力を停止させることができ、
　アーク故障または接地故障を検知することができる前記コントローラー３６０は、アーク故障として、直列アークと並列アークを検知し消弧するものであり、
　前記イネーブル信号発生装置４００は、前記太陽光発電アレイから前記イネーブル信号３１０を除去して、前記アレイを停止させる遮断スイッチ４４４からなり、
　前記アレイの、インバーター１４０、前記故障検知及び遮断システム１３０あるいは他の装置といった他の装置からの制御信号に応答して、前記アレイを遮断し、
　前記ストリング１１０上の２点間の電圧を最大３００Ｖから最大３５Ｖに下げることで直列と並列のアークを遮断することができ、
　前記イネーブル信号発生装置４００は、前記故障検知及び遮断システム１３０あるいは他の装置といった、他の装置からの制御信号に応答し得るものである、太陽光発電のモジュールの電気の出力を停止させる遮断システム。」
　
イ　原査定における拒絶理由に引用された、本願の出願前に頒布された刊行物である登録実用新案第３１８９１０６号公報（以下「引用文献２」という。）には、以下の記載がある。
（ア）「【００２０】
　図２は、配線に直列接続を切り離すスイッチが設けられている太陽光発電ストリング１１０（太陽光発電システム）およびパワーコンディショナー本体１２０ａを示すブロック図である。太陽光発電ストリング１１０は、複数の太陽光発電パネル１１１、接続線１１２およびスイッチ１１５を備えている。なお、接続線は、発電機能の直列接続を構成する線を指す。
【００２１】
　太陽光発電ストリング１１０は、複数の太陽光発電パネル１１１が接続線１１２により直列接続され、太陽光発電パネル１１１で太陽光エネルギーから変換された直流電圧を直列接続で高電圧にしパワーコンディショナー本体１２０ａへ出力する。接続線１１２には、スイッチ１１５が設けられており、スイッチ１１５により、複数の太陽光発電パネル１１１による直列接続を切り離すことを可能にしている。
【００２２】
　操作部１１６ａは、操作を受け付け、スイッチ１１５を制御するための制御信号を送出する。操作部１１６ａが受け付けたＯＮ、ＯＦＦの操作が制御線１１６によりスイッチ１１５へ伝わることによりスイッチ１１５のＯＮ／ＯＦＦがなされる。これにより、火災の際、複数の太陽光発電パネル１１１の直列接続を切り離すことができ、放水による作業者の感電を防止できる。
【００２３】
　
スイッチ１１５は、直列接続で累積された電圧が各区間で２００Ｖ以下となるように複数の太陽光発電パネルによる直列接続を切り離す位置に設けられていることが好ましい
【００２４】
　なお、スイッチ１１５は、直列接続で累積された電圧が各区間で１００Ｖ以下となるように設けることがさらに好ましい。図２に示す例では、太陽光発電パネル１１１ごとにスイッチ１１５を設け、接続を切り離すことができるため、切り離された直列接続の各区間で累積された電圧は、数十Ｖ以下になる。
【００２５】
　スイッチ１１５は、太陽光発電パネル１１１の端子を接続する接続線１１２上に設けられ、接続線１１２に並列接続する制御線１１６が伝える信号により接続線１１２の切り離しおよび接続を行なう。これにより、外部からの制御で一度に複数個所の接続を切り離すことができ、操作を容易にすることができる。例えば、スイッチ１１５は、外部からの信号がＨｉｇｈＬｅｖｅｌの時ＯＮとなるように設計できる。なお、上記の例では、
太陽光発電パネル１１１ごとに接続を切り離すスイッチ１１５を設けているが、複数の太陽光発電パネル１１１のストリングごとに設けてもよ
・・・途中省略・・・
【００３０】
　太陽光セル１１７は光が当たっていれば、常に発電状態にある。このような状態では、火災等で太陽光発電ストリング１１０の一部、または、太陽光発電パネル１１１の一部の電極（活部）が露出した場合に、消火のための放水で、水を介して放水作業者が感電する。スイッチ１１５ａ〜ｃを設けることで、上記のような事態を阻止し、太陽光発電ストリング１１０の出力電圧、または太陽光発電パネル１１１の水がかかりうる区間の
出力電圧を低下させる
【００３１】
　太陽光発電ストリング１１０は、通常、複数枚の太陽光発電パネル１１１を直列に接続して形成され、数百ボルトの電圧を発生させる。このような太陽光発電パネル１１１内部、または太陽光発電パネル１１１同士の接続部に、外部信号でＯＮ／ＯＦＦできるスイッチを設ける。
【００３２】
　その結果、太陽光発電パネル１１１単体、または、小規模の太陽光発電ストリング１１０（出力電圧が１００Ｖ以下）に直列接続を切り離すことにより、太陽光発電ストリング１１０の出力電圧を低下させることができる。」
　
（３）対比・判断
ア　対比
（ア）本願補正発明と引用発明を対比すると、引用発明の「（複数の）太陽光発電の発電能力１０２」、「（前記太陽光発電の発電能力１０２同士を直列接続する）直流電力線」、「太陽光発電のストリング１１０」、「インバーター１４０」、「『（インバータ１４０の一方の端子と前記ストリング１１０の一方の端子を互いに接続する）直流電力線１０５』及び『（インバータ１４０の他方の端子と前記ストリング１１０の他方の端子を互いに接続する）直流電力線１０５』」、「（アーク検知電気回路である）故障検知及び遮断システム１３０」、「（前記モジュール１００の電力を停止させ安全な状態に戻すよう設計される）遮断回路３００」及び「太陽光発電のモジュールの電気の出力を停止させる遮断システム」は、本願補正発明の「（複数の）太陽電池モジュール」、「（前記太陽電池モジュール同士を直列接続する）ストリング内接続部」、「太陽電池ストリング」、「負荷」、「『（前記負荷の一方の端子及び前記太陽電池ストリングの一方の端子を互いに接続する）第１接続部』及び『（前記負荷の他方の端子及び前記太陽電池ストリングの他方の端子を互いに接続する）第２接続部』」、「（アークの発生を検知する）アーク検知部」、「（前記複数の太陽電池モジュールから前記負荷への電力の供給を止める）切断部」及び「太陽光発電システム」にそれぞれ相当する。
　
（イ）引用発明の「遮断回路３００」の１つは、「一方の前記太陽光発電の発電能力１０２同士を直列接続する直流電力線と他方の前記太陽光発電の発電能力１０２同士を直列接続する直流電力線の間に設けられ」、「それぞれが一つのモジュール１００の電気出力を停止させることができる」ものであって、「複数の太陽光発電の発電能力１０２、前記太陽光発電の発電能力１０２同士を直列接続する直流電力線、太陽光発電のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」で回路を構成するものであるから、太陽光発電のストリング１１０内における、一方の太陽光発電の発電能力１０２同士を直列接続する直流電力線と他方の太陽光発電の発電能力１０２同士を直列接続する直流電力線の間を電気的に切断することにより、前記太陽光発電のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線とによって構成する回路を遮断するものであるといえる。
　そうすると、引用発明の「一方の前記太陽光発電の発電能力１０２同士を直列接続する直流電力線と他方の前記太陽光発電の発電能力１０２同士を直列接続する直流電力線の間に設けられ」、「それぞれが一つのモジュール１００の電気出力を停止させることができる」ものであって、「複数の太陽光発電の発電能力１０２、前記太陽光発電の発電能力１０２同士を直列接続する直流電力線、太陽光発電のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」で回路を構成する「遮断回路３００」の１つは、本願補正発明の「前記太陽電池ストリング内における前記ストリング内接続部を電気的に切断することにより、前記太陽電池ストリングと前記第１接続部と前記第２接続部と前記負荷とによって構成される回路を」「切断する、」「前記複数の太陽電池モジュールから前記負荷への電力の供給を止める」「切断部」に相当する。
　
（ウ）ａ　引用発明の「故障検知及び遮断システム１３０」は、「アーク検知電気回路」として機能し、「イネーブル信号発生装置４００」は、「前記故障検知及び遮断システム１３０あるいは他の装置といった他の装置からの制御信号に応答して、前記アレイを遮断し」、「前記太陽光発電アレイから前記イネーブル信号３１０を除去して、前記アレイを停止させる遮断スイッチ４４４からなり」、「遮断回路３００」は、「イネーブル信号３１０が停止すると、前記遮断回路３００が、前記モジュール１００の電力を停止させ安全な状態に戻すよう設計され」るから、引用発明の「遮断回路３００」は、故障検知及び遮断システム１３０がアークを検知すると、太陽光発電の発電能力１０２を含むモジュール１００の電力を停止させ、アークを消弧して安全な状態に戻すものであるといえる。
　
ｂ　さらに、アーク故障は、「複数の太陽光発電の発電能力１０２、前記太陽光発電の発電能力１０２同士を直列接続する直流電力線、太陽光発電のストリング１１０、インバーター１４０、インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」のいずれかの箇所で発生することから、アーク故障の発生箇所として、「インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」が含まれることは当然である。
　
ｃ　よって、引用発明の「前記故障検知及び遮断システム１３０あるいは他の装置といった他の装置からの制御信号に応答して、前記アレイを遮断し」、「前記太陽光発電アレイから前記イネーブル信号３１０を除去して、前記アレイを停止させる遮断スイッチ４４４からな」る「アーク検知電気回路」である「イネーブル信号発生装置４００」、及び、「イネーブル信号３１０が停止すると、前記遮断回路３００が、前記モジュール１００の電力を停止させ安全な状態に戻すよう設計され」る「遮断回路３００」は、直列アークと並列アークを検知する「アーク検知電気回路」及び、「インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」を含む箇所で発生する直列アークと並列アークを消弧するために遮断する「遮断回路３００」といえるから、本願補正発明の「前記第１接続部及び前記第２接続部を含むアーク発生対象接続部に発生する直列アーク及び並列アークを消弧するために切断する」「切断部」に相当すると認められる。
　
イ　一致点及び相違点
　上記ア（ア）ないし（ウ）によれば、本願補正発明と引用発明は、
「複数の太陽電池モジュール、及び前記太陽電池モジュール同士を直列接続するストリング内接続部を有し、発生した電力を負荷に供給する太陽電池ストリングと、
　前記負荷の一方の端子及び前記太陽電池ストリングの一方の端子を互いに接続する第１接続部と、
　前記負荷の他方の端子及び前記太陽電池ストリングの他方の端子を互いに接続する第２接続部と、
を備える太陽光発電システムであって、
　前記太陽光発電システム内におけるアークの発生を検知するアーク検知部と、
　前記アーク検知部が前記アークの発生を検知した際、前記太陽電池ストリング内における前記ストリング内接続部を電気的に切断することにより、前記太陽電池ストリングと前記第１接続部と前記第２接続部と前記負荷とによって構成される回路を、前記第１接続部及び前記第２接続部を含むアーク発生対象接続部に発生する直列アーク及び並列アークを消弧するために切断する、前記複数の太陽電池モジュールから前記負荷への電力の供給を止める切断部と、
を備える太陽光発電システム。」
である点で一致し、下記点で相違する。
　
・相違点
　本願補正発明の「切断部」は、「１つ以上であって前記複数の太陽電池モジュール毎に設けられていない」のに対して、引用発明の「遮断回路３００」は、太陽光発電の発電能力１０２毎に設けられている点（以下「相違点」という。）。
　
ウ　判断
　上記相違点について検討する。
ａ　上記ア（ウ）で検討したとおり、引用発明の「遮断回路３００」は、直列アークと並列アークを検知する「アーク検知電気回路」及び、「インバータ１４０の一方の端子と前記ストリング１１０の一方の端子を互いに接続する直流電力線１０５、インバータ１４０の他方の端子と前記ストリング１１０の他方の端子を互いに接続する直流電力線１０５」を含む箇所で発生する直列アークと並列アークを消弧するために遮断する「遮断回路３００」といえる。
　
ｂ　そして、太陽光発電パネルの電圧を下げる点に関して、引用文献２には、「複数の太陽光発電パネルによる直列接続を切り離す位置に設けられていることが好ましい」及び「太陽光発電パネル１１１ごとに接続を切り離すスイッチ１１５を設けているが、複数の太陽光発電パネル１１１のストリングごとに設けてもよい」と記載されている。
　
ｃ　そうすると、引用発明は、異なった２点間の最大電圧を３５Ｖに制限することでアークを遮断しているものの、発電能力１０２の無負荷電圧が３５Ｖよりも小さければ、発電能力１０２毎に遮断回路３００を設ける必要がないことは明らかである。一方、発電能力１０２の無負荷電圧が３５Ｖより小さいものは周知であって、しかも、複数の発電能力１０２（太陽光発電パネル）毎に遮断回路３００を設けることは、引用文献２に見られるように周知であるから、上記ｂの引用文献２の記載に接した当業者が、遮断システムによって電圧を下げるという課題を解決するために、引用発明の「遮断回路３００」を、モジュール１００ごとに設ける構成にかえて、モジュール１００のストリング１１０ごとに設ける構成となして、電圧を下げてアークを消弧して安全な状態に戻すものとなすことにより、上記相違点に係る本願補正発明の構成となすことは、当業者が容易に想到し得たことである。
　
（４）まとめ
　したがって、本願補正発明は、引用発明及び引用文献２に記載の事項に基づいて、当業者が容易に発明をすることができたものであるから、特許法第２９条第２項の規定により、特許出願の際独立して特許を受けることができないものである。
　
４　補正却下の決定についてのむすび
　上記３の検討によれば、本件補正は、特許法第１７条の２第６項において準用する同法第１２６条第７項の規定に違反するものであるから、同法第１５９条第１項の規定において読み替えて準用する同法第５３条第１項の規定により却下すべきものである。
　
第３　本願発明について
１　本願発明
　上記のとおり、本件補正は却下されたので、本願の特許請求の範囲の各請求項に係る発明は、平成２６年１０月１５日付け手続補正書により補正された特許請求の範囲の請求項１ないし８に記載されたとおりのものであるところ、その請求項１に係る発明（以下「本願発明」という。）は、前記第２、［理由］１において、本件補正前のものとして示したとおりのものである。
　
２　刊行物の記載及び引用発明
　上記第２、［理由］３（２）アのとおりである。
　
３　対比・判断
　上記「第２、［理由］２　補正の目的」のとおり、本件補正は、補正前の請求項１において、「切断部」に係り、「切断」に関して「前記第１接続部及び前記第２接続部を含むアーク発生対象接続部に発生する直列アーク及び並列アークを消弧するために」、及び、「１つ以上であって前記複数の太陽電池モジュール毎に設けられていない、前記複数の太陽電池モジュールから前記負荷への電力の供給を止める」との限定を付加するものである。
　したがって、本願発明は、上記「第２、［理由］　３」で検討した本願補正発明を特定するための事項である、「切断部」に係り、「切断」に関して「前記第１接続部及び前記第２接続部を含むアーク発生対象接続部に発生する直列アーク及び並列アークを消弧するために」、及び、「１つ以上であって前記複数の太陽電池モジュール毎に設けられていない、前記複数の太陽電池モジュールから前記負荷への電力の供給を止める」との限定を省いたものである。
　これに対して、上記「第２、［理由］３（３）イ」で検討したとおり、引用発明は、上記限定のうち、「１つ以上であって前記複数の太陽電池モジュール毎に設けられていない」との限定を省いた本願補正発明の構成をすべて備えている。
　そうすると、引用発明は、本願発明の構成もすべて備えていると認められる。
　よって、本願発明は、引用発明である。
　
４　むすび
　以上のとおり、本願発明は、引用発明であるから、特許法第２９条第１項第３号に該当し、特許を受けることができない。
　したがって、本願の他の請求項に係る発明について検討するまでもなく、本願は拒絶されるべきものである。
　
　よって、結論のとおり審決する。